(57)【要約】【課題】  操作しやすい電子機器を提供し、ユーザの利便性を向上させることが課題になっていた。【解決手段】  実施形態の電子機器は、第１の放送を受信し、タッチ操作を検出可能な映像表示部に前記第１の放送の映像コンテンツを出力する映像出力部を備える。  また、前記タッチ操作が検出された場合は、前記映像表示部に、前記第１の放送のチャネル表示を含むダイヤル操作パネルを出力するダイヤル操作パネル出力部を備える。  また、前記ダイヤル操作パネルの操作を検出し、検出された場合は、前記第１の放送の映像コンテンツから第２の放送の映像コンテンツに切替えて、前記映像表示部に出力する切替え出力部と、を備える。【選択図】  図１
2014081891.tif 000002
【特許請求の範囲】
【請求項１】
第１の放送を受信し、タッチ操作を検出可能な映像表示部に前記第１の放送の映像コンテンツを出力する映像出力部と、
前記タッチ操作が検出された場合は、前記映像表示部に、前記第１の放送のチャネル表示を含むダイヤル操作パネルを出力するダイヤル操作パネル出力部と、
前記ダイヤル操作パネルの操作を検出し、検出された場合は、前記第１の放送の映像コンテンツから第２の放送の映像コンテンツに切替えて、前記映像表示部に出力する切替え出力部と、を備える電子機器。
【請求項２】
前記第２の放送の切替え出力に応じ、前記ダイヤル操作パネルに表示されている前記第１の放送を示す表示を、前記第２の放送を示す表示に切替える請求項１に記載の電子機器。
【請求項３】
前記ダイヤル操作パネルの操作は、前記ダイヤル操作パネルのダイヤル表示を回転させる操作を含む請求項１に記載の電子機器。
【請求項４】
前記ダイヤル操作パネルのダイヤル表示の近傍に、受信中の映像コンテンツの番組情報を出力する請求項１に記載の電子機器。
【請求項５】
前記ダイヤル操作パネルの操作の検出は、予め設定されたドラッグ操作の移動距離との比較を用いて検出される請求項１に記載の電子機器。
【請求項６】
前記予め設定されたドラッグ操作の移動距離は、よく視聴される放送チャンネルを他の放送チャンネルより長くする請求項５に記載の電子機器。
【請求項７】
前記タッチ操作が予め設定された所定時間検出されない場合は、前記ダイヤル操作パネルを出力しない請求項１に記載の電子機器。
【請求項８】
前記ダイヤル操作パネルのチャンネル操作ボタンは、よく視聴される放送のチャンネル表示を他の放送のチャンネル表示より大きく表示する請求項１に記載の電子機器。
【請求項９】
第１の放送を受信し、タッチ操作を検出可能な映像表示部に前記第１の放送の映像コンテンツを出力するステップと、
前記タッチ操作が検出された場合は、前記映像表示部に、前記第１の放送のチャネル表示を含むダイヤル操作パネルを出力するステップと、
前記ダイヤル操作パネルの操作を検出し、検出された場合は、前記第１の放送の映像コンテンツから第２の放送の映像コンテンツに切替えて、前記映像表示部に出力するステップと、を備える電子機器の制御方法。
【請求項１０】
第１の放送を受信し、タッチ操作を検出可能な映像表示部に前記第１の放送の映像コンテンツを出力するステップと、
前記タッチ操作が検出された場合は、前記映像表示部に、前記第１の放送のチャネル表示を含むダイヤル操作パネルを出力するステップと、
前記ダイヤル操作パネルの操作を検出し、検出された場合は、前記第１の放送の映像コンテンツから第２の放送の映像コンテンツに切替えて、前記映像表示部に出力するステップと、を備え、電子機器を制御する電子機器の制御プログラム。
【発明の詳細な説明】
【技術分野】
【０００１】
本発明の実施形態は、電子機器、電子機器の制御方法、電子機器の制御プログラムに関する。
【背景技術】
【０００２】
近年、テレビ放送等を受信し、映像コンテンツを表示出力可能な小型の電子機器が普及している。
【０００３】
これらの電子機器は、例えば、タッチパネル等を搭載し、タッチ操作が可能になっており、ユーザの利便性を向上させている。
【０００４】
そして、タッチパネル等を搭載した小型の電子機器において、テレビ放送等を受信し、映像コンテンツを表示出力する場合、放送チャンネルの切替えにおいて、例えば、リモコン（リモートコントローラ）のようなアップ/ダウンボタンを用いる操作が行われることがある。
【０００５】
しかし、小型の電子機器のタッチパネルにアップ/ダウンボタンを表示してタッチ操作が行なわれた場合に、例えば、ユーザは、指を上記ボタンに正確にあわせる必要がある。このため、操作性が良好とは言えなかったり、また、連続操作がやり難いことがあったりして、不便であった。
【０００６】
このため、操作しやすい電子機器を提供し、ユーザの利便性を向上させることが課題になっていた。
【先行技術文献】
【特許文献】
【０００７】
【特許文献１】特開２０１０−３９７６８号公報
【特許文献２】特許第４２９７９３５号公報
【発明の概要】
【発明が解決しようとする課題】
【０００８】
操作しやすい電子機器を提供し、ユーザの利便性を向上させることが課題になっていた。
【課題を解決するための手段】
【０００９】
実施形態の電子機器は、第１の放送を受信し、タッチ操作を検出可能な映像表示部に前記第１の放送の映像コンテンツを出力する映像出力部を備える。
【００１０】
また、前記タッチ操作が検出された場合は、前記映像表示部に、前記第１の放送のチャネル表示を含むダイヤル操作パネルを出力するダイヤル操作パネル出力部を備える。
【００１１】
また、前記ダイヤル操作パネルの操作を検出し、検出された場合は、前記第１の放送の映像コンテンツから第２の放送の映像コンテンツに切替えて、前記映像表示部に出力する切替え出力部と、を備える。
【図面の簡単な説明】
【００１２】
【図１】実施形態に係わる電子機器において、映像表示部にダイヤル操作パネルが出力されるようすを示す図。
【図２】実施形態に係わる電子機器において、映像表示部に番組情報（番組説明等）が出力されるようすを示す図。
【図３】実施形態に係わる電子機器において、チャンネル切替えとドラッグ操作の移動距離の関係を示す図。
【図４】実施形態に係わる電子機器において、例えば、番組表を表示しているときに、ダイヤル操作パネルをアイコン化して表示するようすを示す図。
【図５】実施形態に係わる電子機器において、チャンネルボタン操作パネルが出力されるようすを示す図。
【図６】実施形態に係わる電子機器の動作を説明するフローチャート。
【図７】実施形態に係わる電子機器の構成の一例を示すブロック図。
【発明を実施するための形態】
【００１３】
以下、図面を参照し、実施の形態を説明する。
【００１４】
図１は、実施形態に係わる電子機器において、映像表示部にダイヤル操作パネルが出力されるようすを示す図である。
【００１５】
ここでは、電子機器１０の一例として、例えば、タブレットＰＣを例にとり、説明を行う。しかし、この実施形態においては、電子機器１０はタブレットＰＣに限られることはなく、テレビやスマートフォン、携帯電話等、他の電子機器にも適用可能である。
【００１６】
そして、ここでは、電子機器（タブレットＰＣ）１０は放送を受信し、映像表示部１７に表示出力している。ここでは、例えば、山の映像が表示されている。
【００１７】
また、この実施形態において、電子機器（タブレットＰＣ）１０は、映像表示部１７にダイヤル操作パネル１１を出力している。このダイヤル操作パネル１１は、ユーザによって操作される。
【００１８】
この実施形態においては、電子機器（タブレットＰＣ）１０の映像表示部１７は、例えば、タッチセンサを構成し、ユーザは、タッチ操作により、ダイヤル操作パネル１１を操作する。
【００１９】
また、ダイヤル操作パネル１１は、受信中の放送チャンネルを表示する受信チャンネル表示部１２を備えている。ここでは、受信チャンネル表示部１２には、例えば、受信中の放送チャンネルである「８」が表示出力されている。
【００２０】
すなわち、この実施形態に係る電子機器１０においては、例えば、映像表示部１７に第１の放送（放送チャンネル「８」の放送）が表示されている。
【００２１】
そして、タッチセンサ（図示せず）で、例えば、ユーザのタッチ操作が検出された場合に、表示画面（映像表示部１７）上に、図１に示すように、ユーザ操作用のパネルとして、例えば、映像表示部１７にダイヤルを模擬した形の表示である出力中の放送チャネル表示を含むダイヤル操作パネル１１が表示出力される。
【００２２】
そして、例えば、その映像表示部１７に表示出力されたダイヤル操作パネル１１上を、ユーザが映像表示部１７のタッチパネルに触れながら、ダイヤル操作パネル１１のチャンネルを回転させる操作をする。
【００２３】
すると、例えば、この実施形態においては、このユーザのチャンネルを回転させる操作に応じて、映像表示部１７に表示出力されている放送チャンネルが切り替わる。
【００２４】
ここでは、例えば、映像表示部１７に表示出力されている第１の放送チャンネルから他の放送（第２の放送）のチャンネルに切り替わり、映像表示部１７に他の放送（第２の放送）の映像コンテンツが表示出力される。
【００２５】
また、この実施形態においては、例えば、上記ユーザのチャンネルを回転させる操作は、左まわりでチャンネルアップ（ＵＰ）、右回りでチャンネルダウン（ＤＯＷＮ）等と予め設定されている。
【００２６】
なお、上記ユーザのチャンネルを回転させる操作の設定は、右まわりでチャンネルアップ（ＵＰ）、左回りでチャンネルダウン（ＤＯＷＮ）等と変更することも可能である。
【００２７】
また、この実施形態においては、例えば、上記ユーザのチャンネルを回転させる操作中に、１つのチャンネルが切り替わると、携帯端末を一瞬、振動させるように構成しても良い。あるいは、例えば、選局と同時に、「ガチャ」という音等の犠牲音を、出力するように構成しても良い。
【００２８】
すなわち、この実施形態に係る電子機器１０においては、例えば、ユーザが放送を受信する機能（図示せず）を起動すると、放送の受信/再生を開始する。
【００２９】
そして、電子機器１０において、放送を再生している状態で、例えば、ユーザが映像表示部１７のタッチパネルを触ると、ダイヤル操作パネル１１が表示される。
【００３０】
ここでは、ダイヤル操作パネル１１は、例えば、ダイヤルに見える形にすることが望ましい。
【００３１】
そして、例えば、ユーザがタッチパネルにタッチした状態のまま、ドラッグすることで、チャンネルを連続して切り替えることができるようにする。
【００３２】
また、ダイヤルの表示上部（例えば、受信チャンネル表示部１２）に、現在選局している放送の放送チャンネル番号（ここでは「８」）を表示する。
【００３３】
また、その放送チャンネル番号（「８」）の隣に、次のチャンネル(ＵＰした場合は「１０」、ＤＯＷＮした場合は「６」等)の数字を表示しても良い。
【００３４】
また、上記のように、この実施形態においては、ユーザによるドラッグは、回転する操作に対応し、左まわりでＵＰ、右回りでＤＯＷＮ等と、操作が割り振られている。そして、ユーザのドラッグ操作に合わせて、画面（映像表示部１７）上のダイヤル表示が回転される。
【００３５】
すなわち、この実施形態に係る電子機器１０においては、第１の放送を受信し、タッチ操作を検出可能なタッチセンサを構成する映像表示部１７に出力する映像出力部を備えている。
【００３６】
また、電子機器１０は、タッチセンサ（図示せず）でタッチ操作が検出された場合は、出力中の放送チャネル表示を含むダイヤル操作パネル１１を映像表示部１７に出力するダイヤル操作パネル出力部を備えている。
【００３７】
また、後述するように、電子機器１０は、ダイヤル操作パネル１１の操作を検出し、操作が検出された場合は、第１の放送から第２の放送に切替えて映像表示部に出力する切替え出力部を備えている。
【００３８】
図２は、実施形態に係わる電子機器において、映像表示部に番組情報（番組説明等）が出力されるようすを示す図である。
【００３９】
この実施形態においては、例えば、ユーザが映像表示部１７のタッチパネル上でドラッグ操作を行なう距離（ドラッグ距離）が、予め設定された距離（ある一定距離）以上になったのを検出して、選局処理、すなわち、放送受信処理が行われる。
【００４０】
そして、選局処理開始時（すなわち、選局前の放送チャンネルの受信/再生をやめ、選局後のチャンネルの受信/再生処理開始時）に、ダイヤル上部（受信チャンネル表示部１２）に表示されているチャンネル番号の表示が切り替えられる。
【００４１】
そして、この実施形態においては、図２に示すように、例えば、このチャンネル番号の表示（受信チャンネル表示部１２）の周辺に、そのチャンネルの現在放送している番組説明を、例えば、文字として表示している。
【００４２】
また、電子機器（例えば、端末等）１０に、振動機能(バイブレーション機能)を構成し、上記選局処理が開始される毎に、短時間（例えば、一瞬）、振動させても良い。
【００４３】
また、例えば、ユーザが、上記ドラッグ操作の途中で、タッチパネル等から指を離した場合は、上記選局の連続切替え処理を終了させる。
【００４４】
また、画面（映像表示部１７）上のダイヤル表示（ダイヤル操作パネル１１）は、例えば、操作していた反対方向に、少し戻るようなアニメーションで、終了を表現することも可能である。
【００４５】
また、例えば、映像表示部１７にダイヤル操作パネル１１が表示されている状態で、ユーザが手を離し、しばらく（例えば、数秒間程度）操作していないと、ダイヤル操作パネル１１の表示を画面（映像表示部１７）上から消去するようにしても良い。
【００４６】
図３は、実施形態に係わる電子機器において、チャンネル切替えとドラッグ操作の移動距離の関係を示す図である。
【００４７】
図３（ａ）は、ユーザのドラッグ操作距離が予め等間隔で設定され、チャンネルが切替えられる例を示している。
【００４８】
ここでは、例えば、図に示す矢印がチャンネル切替えタイミングである。
【００４９】
例えば、現在、ユーザにより、放送チャンネル「３」の放送が選局され、視聴されている。
【００５０】
この放送チャンネル「３」の視聴中に、例えば、映像表示部１７にダイヤル操作パネル１１が表示されている状態で、上記のようにユーザのドラッグ操作が行なわれる。
【００５１】
そして、ここでは、ユーザのドラッグ操作移動距離が、予め設定された距離（ここでは等間隔）に達するか、あるいは、それを超える場合に、次の放送チャンネル「４」の放送が選局される。
【００５２】
そして、同様に、放送チャンネル「４」の視聴中に、例えば、映像表示部１７にダイヤル操作パネル１１が表示されている状態で、ユーザのドラッグ操作が行なわれ、ユーザのドラッグ操作移動距離が、予め設定された距離（等間隔）に達するか、それを超える場合に、次の放送チャンネル「５」の放送が選局される。
【００５３】
以下、同様に、ユーザのドラッグ操作に応じ、移動距離が、予め設定された距離（等間隔）に達するか、それを超える場合に、次の放送チャンネル「６」等の放送が選局される。
【００５４】
図３（ｂ）は、ユーザのドラッグ操作距離が予め、チャンネル毎に移動距離を変化させるように構成されている例である。
【００５５】
ここでも、例えば、図に示す矢印がチャンネル切替えタイミングである。
【００５６】
すなわち、この実施形態においては、ユーザのドラッグ操作距離（チャンネル切替するのに必要なドラッグ距離）は、を一定の距離（等間隔）にしない例である。
【００５７】
そして、このようなユーザのドラッグ操作距離を一定（等間隔）にしない場合は、例えば、視聴履歴など活用し、そのときに選局する可能性の高い放送チャンネルのドラッグ操作移動距離を長くする。そして、選局する可能性の低い放送チャンネルのドラッグ操作距離を短くしても良い。
【００５８】
そして、図３(ｂ)は、電子機器１０が、「４」チャンネルが選択される可能性が高いと判断した場合のユーザのドラッグ操作移動距離と、チャンネル切替えのタイミングを示している。
【００５９】
ここでは、「４」チャンネルのドラッグ操作移動距離が、他のチャンネルより長く設定されている。
【００６０】
そして、例えば、ユーザが、同じ速度でドラッグ操作をしたと仮定した場合に、「４」が選局されたあとの時間(すなわち、「４」を再生している時間)を長くすることができる。
【００６１】
また、ここでは、電子機器１０が、「５」チャンネルが選択される可能性が低いと判断した場合に、「５」チャンネルのドラッグ操作移動距離が、短く設定されている。
【００６２】
そして、例えば、ユーザが、同じ速度でドラッグ操作をしたと仮定した場合に、「５」が選局されたあとの時間(すなわち、「５」を再生している時間)を短くすることができる。
【００６３】
このように構成することで、例えば、ユーザが、連続操作したときの操作性を向上させることが可能である。
【００６４】
なお、図３（ａ）、図３（ｂ）は、上記のように、ドラッグ操作移動距離と、チャンネル切替えタイミングの例を表している。
【００６５】
ドラッグ操作移動軌跡は、一般に、例えば、円形で表現されるが、ここでは、簡易にするために直線として表記している。
【００６６】
すなわち、この実施形態においては、選局切替えに必要な移動長(触れながら移動する長さ)を、一部のチャンネルで異なるように設定することが可能である。
【００６７】
このとき、例えば、操作履歴等を活用して、そのときに視聴する可能性の高いものから切り替わるために必要な移動長（ドラッグ操作移動距離）を長くして、いつも見るチャンネルを選択しやすくしても良い。また、視聴する可能性の低いものの移動長（ドラッグ操作移動距離）を短くしても良い。
【００６８】
図４は、実施形態に係わる電子機器において、例えば、番組表を表示しているときに、ダイヤル操作パネルをアイコン化して表示するようすを示す図である。
【００６９】
ここでは、上記のように、例えば、映像表示部１７に、放送番組およびダイヤル操作パネル１１が表示され、かつ、ユーザがタッチパネル等をタッチしたまま、何も操作していない(ドラッグしていない)状態が、例えば数秒間続いている。
【００７０】
すると、この実施形態においては、図４に示すように、現在再生している放送の番組内容を、番組表（番組表操作パネル等の表形式）で表示する。
【００７１】
この番組表は、例えば、ユーザがスワイプして表をスクロールし、再生したい番組をタップすることで、選局を開始するように構成しても良い。
【００７２】
ここで、スワイプとは、例えば、マルチタッチインターフェースにおける操作のうち、画面に触れた状態で指を滑らせる操作のことである。また、タップとは、例えば、指でタッチスクリーンを軽く１回たたくことである。
【００７３】
また、この実施形態においては、番組表に表示される番組表示領域の大きさは、それぞれの番組によって変えても良い。
【００７４】
例えば、視聴履歴等を活用し、そのときにユーザが選局する可能性の高いものを大きく、ユーザが選局する可能性の低いものを小さく表示しても良い。
【００７５】
また、番組表を表示する際に、ダイヤルは小さい表示に切り替える。例えば、アイコン化しても良い（例えば、操作アイコン４１）。そして、ユーザが番組表を用いて選局操作を行うと、その選局にあわせて、操作アイコン４１のダイヤルを回転させるように構成しても良い。
【００７６】
すなわち、この実施形態においては、例えば、ダイヤルの操作用パネル（映像表示部１７のタッチセンサ）上で、ユーザがタッチしたまま、ドラッグ等の操作をしない、すなわち、ユーザが画面をタッチした位置がほとんど移動しないと、番組表（ミニ番組表）を表示するように構成しても良い。
【００７７】
この番組表でそれぞれの番組が表示される領域は、例えば、視聴履歴などを活用し、大きさを変えるようにしても良い。
【００７８】
また、番組表を表示しているときに、ダイヤル操作パネルをアイコン化（例えば、操作アイコン４１等）し、ユーザの番組表操作や選局操作に合わせて回転させる等、ダイヤルを変化させるようにしても良い。
【００７９】
図５は、実施形態に係わる電子機器において、チャンネルボタン操作パネルが出力されるようすを示す図である。
【００８０】
この実施形態においても、電子機器１０は、上記と同様に、例えば、映像表示部１７にダイヤル操作パネル１１を表示する。そして、例えば、ユーザが、映像表示部１７にタッチ操作をしていない状態のときに、ダイヤル操作パネル１１をタップする。
【００８１】
すると、この実施形態において、電子機器１０は、例えばリモコン（リモートコントローラ）を模擬したようなチャンネルボタン操作パネル（ボタン操作パネル）５０を映像表示部１７に表示出力する。
【００８２】
そして、ユーザがそのチャンネルボタン操作パネル５０に表示されたボタンの一部に触れる操作、あるいは押す操作を行なうと、電子機器１０は、操作されたボタンに対応した放送チャンネルの選局を行う。
【００８３】
ここで、このチャンネルボタン操作パネル５０に表示された操作ボタンの大きさは、それぞれの放送チャンネルによって、それぞれ大きさが異なるようにしても良い。
【００８４】
例えば、ここでは、放送チャンネル「４」を示すチャンネル表示５２を他の放送チャンネルを示すチャンネル表示より大きく表示出力している。
【００８５】
また、例えば、ユーザの視聴履歴など活用し、そのときにユーザが選局する可能性の高いものを大きく、選局する可能性の低いものを小さく表示するように構成しても良い。
【００８６】
また、例えば、チャンネルボタン操作パネル５０と同じ表示画面に、上記と同様のダイヤル操作パネル１１を示す操作アイコン４１を表示し、ユーザが選局操作を行うと、その選局にあわせて、操作アイコン４１のダイヤルを回転させるように構成しても良い。
【００８７】
また、例えば、ユーザがダイヤル操作パネル１１にタッチ操作して、すぐに離すと、チャンネルボタン操作パネル５０等のダイレクト選局可能な操作パネルを、映像表示部１７に表示出力するようにしても良い。
【００８８】
また、図５に示すように、チャンネルボタン操作パネル５０を表示しているときに、ダイヤル操作パネル１１をアイコン化（操作アイコン４１）し、選局にあわせて回転させる等、ユーザのボタン操作に応じて、ダイヤルを変化させても良い。
【００８９】
また、この実施形態においては、例えば、ユーザが映像表示部１７のダイヤル操作パネル１１にタッチし、比較的早い速度でスワイプ操作（例えば、早い速度でドラッグ後、指を離す等の操作）を行なうと、電子機器１０は、チャンネル連続切替えを開始するように構成しても良い。
【００９０】
そして、また、ユーザが映像表示部１７のダイヤル操作パネル１１に再びタッチすると、連続切替えを停止するように構成しても良い。
【００９１】
また、連続切り替え中に、それぞれのチャンネルの放送を再生している時間は、例えば、操作履歴等を活用し、長さを変えるようにしても良い。
【００９２】
また、この実施形態に係る電子機器１０は、例えば、映像表示部１７にダイヤル操作パネル１１を表示し、ユーザがダイヤル操作パネル１１のダイヤル（受信チャンネル表示部１２等）にタッチした後に、比較的早い速度でスワイプ操作（早い速度でドラッグ後、指を離す操作）をすると、チャンネルを連続切替えするように遷移しても良い（チャンネル連続切替え）。
【００９３】
このチャンネル連続切替えでは、それぞれのチャンネルを順に、選局および一定時間の再生を繰り返す動作を行う。
【００９４】
また、例えば、スワイプの方向で、チャンネルを切り替える方向が変わるようにしても良い(ＵＰ、ＤＯＷＮ等)。
【００９５】
また、チャンネル連続切替え中に、ユーザがタッチ操作をすると、再生していたチャンネルで止まる、すなわち、通常の状態に戻るようにしても良い。
【００９６】
また、再生時間を各チャンネルに応じて、異ならせるようにしても良い。
【００９７】
また、視聴履歴等を活用し、そのときに選局する可能性の高いものを長く、可能性の低いものを短くするようにしても良い。
【００９８】
図６は、実施形態に係わる電子機器の動作を説明するフローチャートである。
【００９９】
ステップＳ１００は、ここでの開始ステップである。続いて、ステップＳ１０１へ進む。
【０１００】
ステップＳ１０１は、放送を受信し、映像表示部（タッチパネル）１７に受信した放送チャンネルで放送されている放送の映像コンテンツを表示出力するステップである。続いて、ステップＳ１０２へ進む。
【０１０１】
ステップＳ１０２は、操作イベントを検出するステップである。操作イベントがユーザにより、終了以外のタッチ操作がされたと検出される場合は、ステップＳ１０３へ進む。終了が操作された（終了操作）と検出される場合は、ステップＳ１１０へ進む。
【０１０２】
ステップＳ１０３は、例えば、図１に示すように、映像表示部（ＬＣＤ）１７にダイヤル操作パネル１１を表示出力するステップである。続いて、ステップＳ１０４へ進む。
【０１０３】
ステップＳ１０４は、操作イベントを検出するステップである。例えば、ユーザが表示部１７上のダイヤル表示１１を回転させるドラッグ操作（回転操作）を行なったと検出する場合は、ステップＳ１０５へ進む。終了が操作された（終了操作）と検出される場合は、ステップＳ１１０へ進む。
【０１０４】
ステップＳ１０５は、ユーザによるドラッグ操作の距離が予め設定された値（所定値、一定値）以上であるかを検出するステップである。ドラッグ距離が一定値以上であると検出される場合は、ステップＳ１０６へ進む（Ｙｅｓ）。ドラッグ距離が一定値以上ではないと検出される場合は、ステップ１０４へ進み、上記処理を繰り返す（Ｎｏ）。
【０１０５】
ステップＳ１０６は、電子機器１０が、選局処理を開始するステップである（選局処理開始）。ここでは、選局処理の開始とは、例えば、前のチャンネルの受信／再生をやめ、次のチャンネルの受信／再生を開始することである。続いて、ステップＳ１０７へ進む。
【０１０６】
ステップＳ１０７は、例えば、ダイヤル表示１１の受信チャンネル表示部１２のチャンネル番号を放送受信中のチャンネルに切り替えるステップである（ダイヤル表示切替え）。続いて、ステップＳ１０８へ進む。
【０１０７】
ステップＳ１０８は、図２に示すように、例えば、ダイヤル表示１１近傍に、受信中の番組の番組情報（番組説明等）を表示出力するステップである（番組情報表示）。続いて、ステップＳ１０４へ進み、上記処理を繰り返す。
【０１０８】
ステップＳ１０９は、映像表示部１７に表示出力されているダイヤル操作パネル１１の表示を消す（ＯＦＦにする）ステップである。続いて、ステップＳ１０２へ進み、上記処理を繰り返す。
【０１０９】
ステップＳ１１０は、終了操作を実行するステップである。続いて、ステップＳ１１１へ進む。
【０１１０】
ステップＳ１１１は、終了ステップであり、ここでの処理は終了する。
【０１１１】
図７は、実施形態に係わる電子機器の構成の一例を示すブロック図である。
【０１１２】
これらの構成の少なくとも一部は、例えば、電子機器（タブレットＰＣ）１０内に電子部品として収容される。
【０１１３】
この電子機器（タブレットＰＣ）１０は、ＣＰＵ（ｃｅｎｔｒａｌ ｐｒｏｃｅｓｓｉｎｇ ｕｎｉｔ）１０１、ノースブリッジ１０２、主メモリ１０３、サウスブリッジ１０４、ＧＰＵ（Ｇｒａｐｈｉｃｓ Ｐｒｏｃｅｓｓｉｎｇ Ｕｎｉｔ）１０５、ＶＲＡＭ（ビデオＲＡＭ:ｒａｎｄｏｍ ａｃｃｅｓｓ ｍｅｍｏｒｙ）１０５Ａ、サウンドコントローラ１０６、ＢＩＯＳ−ＲＯＭ（ｂａｓｉｃ ｉｎｐｕｔ／ｏｕｔｐｕｔ ｓｙｓｔｅｍ−ｒｅａｄ ｏｎｌｙ ｍｅｍｏｒｙ）１０７、ＬＡＮ（ｌｏｃａｌ ａｒｅａ ｎｅｔｗｏｒｋ）コントローラ１０８を備えている。
【０１１４】
また、ハードディスクドライブ（ＨＤＤ（記憶装置））１０９、光ディスクドライブ（ＯＤＤ）１１０、ＵＳＢコントローラ１１１Ａ、カードコントローラ１１１Ｂ、無線ＬＡＮコントローラ１１２、エンベデッドコントローラ／キーボードコントローラ（ＥＣ／ＫＢＣ）１１３、ＥＥＰＲＯＭ（ｅｌｅｃｔｒｉｃａｌｌｙ ｅｒａｓａｂｌｅ ｐｒｏｇｒａｍｍａｂｌｅ ＲＯＭ）１１４等を備えている。
【０１１５】
また、ＣＰＵ１０１は、電子機器（タブレットＰＣ）１０内の各部の動作を制御するプロセッサである。
【０１１６】
ＣＰＵ１０１は、ＢＩＯＳ−ＲＯＭ１０７に格納されたＢＩＯＳを実行する。ＢＩＯＳは、ハードウェア制御のためのプログラムである。
【０１１７】
ノースブリッジ１０２は、ＣＰＵ１０１のローカルバスとサウスブリッジ１０４との間を接続するブリッジデバイスである。ノースブリッジ１０２には、主メモリ１０３をアクセス制御するメモリコントローラも内蔵されている。また、ノースブリッジ１０２は、例えば、ＰＣＩ ＥＸＰＲＥＳＳ規格のシリアルバスなどを介してＧＰＵ１０５との通信を実行する機能も有している。
【０１１８】
ＧＰＵ１０５は、電子機器（タブレットＰＣ）１０のディスプレイモニタとして使用される映像表示部（ＬＣＤ）１７を制御する表示コントローラである。
【０１１９】
このＧＰＵ１０５によって生成される表示信号は映像表示部（ＬＣＤ）１７に送られる。また、ＧＰＵ１０５は、ＨＤＭＩ制御回路３およびＨＤＭＩ端子２を介して、外部ディスプレイ１にデジタル映像信号を送出することもできる。
【０１２０】
ＨＤＭＩ端子２は、前述の外部ディスプレイ接続端子である。ＨＤＭＩ端子２は、非圧縮のデジタル映像信号とデジタルオーディオ信号とを１本のケーブルでテレビのような外部ディスプレイ１に送出することができる。
【０１２１】
ＨＤＭＩ制御回路３は、ＨＤＭＩモニタと称される外部ディスプレイ１にデジタル映像信号を、ＨＤＭＩ端子２を介して送出するためのインタフェースである。
【０１２２】
サウスブリッジ１０４は、ＰＣＩ（Ｐｅｒｉｐｈｅｒａｌ Ｃｏｍｐｏｎｅｎｔ Ｉｎｔｅｒｃｏｎｎｅｃｔ）バス上の各デバイス及びＬＰＣ（Low Pin Count）バス上の各デバイスを制御する。また、サウスブリッジ１０４は、ＨＤＤ１０９及びＯＤＤ１１０を制御するためのＩＤＥ（Integrated Drive Electronics）コントローラを内蔵している。
【０１２３】
さらに、サウスブリッジ１０４は、サウンドコントローラ１０６との通信を実行する機能も有している。
【０１２４】
サウンドコントローラ１０６は音源デバイスであり、再生対象のオーディオデータをスピーカ１８、または、ＨＤＭＩ制御回路３に出力する。
【０１２５】
ＬＡＮコントローラ１０８は、例えばＩＥＥＥ ８０２．３規格の有線通信を実行する有線通信デバイスであり、一方、無線ＬＡＮコントローラ１１２は、例えばＩＥＥＥ  ８０２．１１ｇ規格の無線通信を実行する無線通信デバイスである。
【０１２６】
ＵＳＢコントローラ１１１Ａは、（ＵＳＢコネクタ１９を介して接続される）例えばＵＳＢ ２．０規格に対応した外部機器との通信を実行する。
【０１２７】
例えば、ＵＳＢコントローラ１１１Ａは、例えば、デジタルカメラに格納されている画像データファイルを受信するために使用される。
【０１２８】
カードコントローラ１１１Ｂは、コンピュータ（ノートＰＣ）本体１１に設けられたカードスロットに挿入される、ＳＤカードのようなメモリカードに対するデータの書き込み及び読み出しを実行する。
【０１２９】
ＥＣ１１３は、電力管理のためのエンベデッドコントローラである。
【０１３０】
ＥＣ１１３は、ユーザによるパワーボタン１４の操作に応じて電子機器（タブレットＰＣ）１０を電源オン／電源オフする機能を有している。
【０１３１】
この実施の形態における表示制御は、例えばＣＰＵ１０１が主メモリ１０３やＨＤＤ１０９等に記録されたプログラムを実行させることにより行われる。
【０１３２】
すなわち、この実施形態に係る電子機器１０は、第１の放送を受信し、タッチ操作を検出可能な映像表示部１７に前記第１の放送の映像コンテンツを出力する映像出力部と、
前記タッチ操作が検出された場合は、前記映像表示部１７に、前記第１の放送のチャネル表示（受信チャンネル表示部１２）を含むダイヤル操作パネル１１を出力するダイヤル操作パネル出力部と、
前記ダイヤル操作パネル１１の操作を検出し、検出された場合は、前記第１の放送の映像コンテンツから第２の放送の映像コンテンツに切替えて、前記映像表示部１７に出力する切替え出力部と、を備える。
【０１３３】
また、この実施形態に係る電子機器１０は、前記第２の放送の切替え出力に応じ、前記ダイヤル操作パネル１１に表示されている前記第１の放送を示す表示（例えば、「８」）を、前記第２の放送を示す表示（例えば、「６」や「１０」等）に切替えることも可能である。
【０１３４】
また、この実施形態に係る電子機器１０において、前記ダイヤル操作パネル１１の操作は、前記ダイヤル操作パネル１１のダイヤル表示（受信チャンネル表示部１２等）を回転させる操作を含む。
【０１３５】
また、この実施形態に係る電子機器１０は、前記ダイヤル操作パネル１１のダイヤル表示（受信チャンネル表示部１２等）の近傍に、受信中の映像コンテンツの番組情報（番組情報表示２１）を出力することも可能である。
【０１３６】
また、この実施形態に係る電子機器１０は、前記ダイヤル操作パネル１１の操作の検出は、予め設定されたドラッグ操作の移動距離との比較を用いて検出される。
【０１３７】
また、この実施形態に係る電子機器１０において、前記予め設定されたドラッグ操作の移動距離は、例えば、よく視聴される放送チャンネルを他の放送チャンネルより長くするように構成しても良い。
【０１３８】
また、この実施形態に係る電子機器１０は、前記タッチ操作が予め設定された所定時間検出されない場合は、前記ダイヤル操作パネルを出力しないように構成しても良い。
【０１３９】
また、この実施形態に係る電子機器１０は、前記ダイヤル操作パネルのチャンネル操作ボタンは、よく視聴される放送のチャンネル表示を他の放送のチャンネル表示より大きく表示するように構成しても良い。
【０１４０】
上記のように、構成することによって、この実施形態においては、操作しやすい電子機器を提供し、ユーザの利便性を向上させることが可能になる。
【０１４１】
なお、上記実施形態の制御処理の手順は全てソフトウェアによって実行することが可能である。このため、制御処理の手順を実行するプログラムを格納したコンピュータ読み取り可能な記憶媒体を通じてこのプログラムを通常のコンピュータにインストールして実行するだけで、上記実施形態と同様の効果を容易に実現することができる。
【０１４２】
また、この実施形態に係る電子機器１０は、携帯機器に限られることはなく、例えば、タッチパネル機能が設けられた据え置き型のテレビ（ＴＶ）に適用することも可能である。
【０１４３】
また、さらに、放送を据え置き型のテレビ（ＴＶ）画面に表示し、タッチパネルを構成した携帯機器（端末）の映像表示部１７にダイヤル操作パネル１１を表示し、その携帯機器（端末）を用いて電子機器（据え置き型のテレビ（ＴＶ））を操作するように構成しても良い。
【０１４４】
なお、上記実施形態は、記述そのものに限定されるものではなく、実施段階では、その趣旨を逸脱しない範囲で、構成要素を種々変形して具体化することが可能である。
【０１４５】
また、上記実施形態に開示されている複数の構成要素の適宜な組み合せにより種々の発明を形成できる。
【０１４６】
例えば、実施形態に示される全構成要素から幾つかの構成要素を削除してもよい。更に、異なる実施形態に亘る構成要素を適宜組み合せてもよい。
【符号の説明】
【０１４７】
１０…電子機器（タブレットＰＣ）、１１…ダイヤル操作パネル、１２…受信チャンネル表示部、１７…映像表示部。
【図１】
2014081891.tif 000003
【図２】
2014081891.tif 000004
【図３】
2014081891.tif 000005
【図４】
2014081891.tif 000006
【図５】
2014081891.tif 000007
【図６】
2014081891.tif 000008
【図７】
2014081891.tif 000009